(57)【要約】  本発明は、オブジェクトを通過する第１回転軸に関するオブジェクトの時計回りまたは反時計回りの回転に応じて、オブジェクトが発信する信号の強度を上げる工程と、第１回転軸に関するオブジェクトの反時計回りまたは時計回りの回転に応じて、オブジェクトが発信する信号の強度を下げる工程とを含む、携帯用オブジェクトを制御する方法に関する。
2021502656.tif 000002
【特許請求の範囲】
【請求項１】
携帯用オブジェクトを制御する方法において、
前記オブジェクトを通過する第１回転軸に対する前記オブジェクトの時計回りまたは反時計回りの回転に応じて、前記オブジェクトが発信する信号の強度を上げる工程と、
前記第１回転軸に対する前記オブジェクトの反時計回りまたは時計回りの回転に応じて、前記オブジェクトが発信する信号の強度を下げる工程と
を含み、
前記オブジェクトの待機状態から起動状態への移行は、
前記オブジェクトを通過する回転軸に対する第１最小傾斜角度以上の角度による前記オブジェクトの回転、および／または
前後運動における前記オブジェクトの揺動
に応じて開始される
ことを特徴とする方法。
【請求項２】
前記オブジェクトが発信する前記信号が、
音声信号、
光信号、
振動信号、
嗅覚信号、または
無線信号
であることを特徴とする、請求項１に記載の方法。
【請求項３】
前記オブジェクトの起動状態から待機状態への移行が、前記オブジェクトを通過する第２回転軸に対する第２最小傾斜角度以上の角度による前記オブジェクトの回転に応じて開始されることを特徴とする、請求項１または２に記載の方法。
【請求項４】
前記オブジェクトによるメディアコンテンツの項目の読取りが、前記オブジェクトの揺動に応じて開始され、読み取られたメディアコンテンツの前記項目は、前記オブジェクトの上向きである面に関連付けられていることを特徴とする、請求項１〜３のいずれか一項に記載の方法。
【請求項５】
読み取られているメディアコンテンツの項目が、特定の所定の軌跡に従った前記オブジェクトの変位に応じて、専用フォルダにおいてインデックス付与されることを特徴とする、請求項４に記載の方法。
【請求項６】
前記オブジェクトを通過する第３回転軸に対する第３最小傾斜角度より大きい角度による前記オブジェクトの回転に応じて、メディアコンテンツの新しい項目が読み取られ、前記回転に続いて、第１最大継続時間以下の時間で、前記オブジェクトの初期位置への戻りが生じ、メディアコンテンツの前記新しい項目が、メディアコンテンツの項目の一覧内で読み取られているメディアコンテンツの前記項目の後に続き、前記オブジェクトがその初期位置にあるとき、メディアコンテンツの項目の前記一欄は、前記オブジェクトの上向きである面に関連付けられていることを特徴とする、請求項４または５に記載の方法。
【請求項７】
前記オブジェクトを通過する第４回転軸に対する第４最小傾斜角度より大きい角度による前記オブジェクトの回転に応じて、読み取られているコンテンツの前記項目の終わりまで早送りする工程と、読み取られているコンテンツの前記項目の始めまで巻き戻す工程とを含み、早送りおよび巻き戻しは、前記角度が第１最小継続時間より長い継続時間に亘って保持されると開始されて前記角度が保持されている間は継続され、巻き戻しの回転方向は早送りの回転方向とは逆であることを特徴とする、請求項４〜６のいずれか一項に記載の方法。
【請求項８】
前記オブジェクトの上向きである前記面が水平面に平行であり、前記第１回転軸が、上向きである前記面に対して垂直であり、前記第２回転軸が前記第１回転軸と同一であり、そして前記第４回転軸が、前記第３回転軸と同一であり、前記第１回転軸に対して垂直であり、そして前記オブジェクトの上向きである前記面に対して所定の方向に向けられていることを特徴とする、請求項７に記載の方法。
【請求項９】
第２最大継続時間より短い時間で区切られた、前記オブジェクトの二回の連続する変位に応じて、前記コンテンツの読取りが一時停止され、各変位中に移動する距離は第１最大距離より短く、前記連続する変位のそれぞれの継続時間は第３最大継続時間より短いことを特徴とする、請求項４〜８のいずれか一項に記載の方法。
【請求項１０】
第４最大継続時間より短い時間で区切られた、前記オブジェクトの三回の連続する変位に応じて、読み取られている前記トラックが始めから再び読み取られ、各変位中に移動する距離は第２最大距離より短く、前記連続する変位のそれぞれの継続時間は前記第３最大継続時間より短いことを特徴とする、請求項４〜９のいずれか一項に記載の方法。
【請求項１１】
読み取られている前記トラックが第５最大継続時間より短い時間に亘って読み取られたとき、セッション中に読み取られた前記ファイルを含むアーカイブからのトラックの読取りが、前記オブジェクトの三回の連続する変位に応じて開始され、これらの連続する変位は、第２最大継続時間より短い時間で区切られており、各変位中に移動する距離は前記第２最大距離より短く、前記連続する変位のそれぞれの継続時間は前記第３最大継続時間より短いことを特徴とする、請求項６〜１０のいずれか一項に記載の方法。
【請求項１２】
一つ以上の面を有する携帯用オブジェクトにおいて、
エネルギー貯蔵ユニットと、
加速度計およびジャイロメータを含む、前記オブジェクトの変位を検出するためのモジュールと、
ラウドスピーカ、および／またはスクリーン、および／または振動源と、
前記検出モジュールによる、前記オブジェクトを通過する第１回転軸に対する前記オブジェクトの時計回りまたは反時計回りの回転の検出に応じて、前記オブジェクトが発信する信号の強度を上げ、
前記検出モジュールによる、前記第１回転軸に対する前記オブジェクトの反時計回りまたは時計回りの回転の検出に応じて、前記オブジェクトが発信する信号の強度を下げ、
前記オブジェクトを通過する回転軸に対する第１最小傾斜角度以上の角度による前記オブジェクトの回転、および／または
前後運動における前記オブジェクトの揺動
に応じて、前記オブジェクトの待機状態から起動状態への移行を開始する
ように構成および／またはプログラムされた処理部と
を備えるオブジェクト。
【請求項１３】
前記処理部が、前記検出モジュールによる前記オブジェクトの揺動の検出に応じてメディアコンテンツの項目を読み取るように構成および／またはプログラムされ、読み取られた前記メディアコンテンツは、前記オブジェクトの上向きである面に関連付けられていることを特徴とする、請求項１２に記載のオブジェクト。
【請求項１４】
前記オブジェクトの上向きである前記面が水平面に平行であり、前記第１回転軸が、上向きである前記面に対して垂直であることを特徴とする、請求項１２または１３に記載のオブジェクト。
【請求項１５】
前記携帯用オブジェクトがファセット携帯用マルチメディアオブジェクトであることを特徴とする、請求項１２〜１４のいずれか一項に記載のオブジェクト。
【請求項１６】
前記オブジェクトが多面体であることを特徴とする、請求項１２または１５のいずれか一項に記載のオブジェクト。
【請求項１７】
前記オブジェクトが立方体であることを特徴とする、請求項１２〜１６のいずれか一項に記載のオブジェクト。
【請求項１８】
外部装置の遠隔エミッタに接続されるように構成されたトランシーバと、
電子メモリと
を備え、前記処理部は、前記遠隔エミッタおよび／または前記電子メモリが発信するデータからメディアコンテンツの項目を読み取るように構成および／またはプログラムされている、請求項１３〜１７のいずれか一項に記載のオブジェクト。
【発明の詳細な説明】
【技術分野】
【０００１】
本発明は、制御方法およびシステム、ならびに電子デバイスを制御する方法およびシステムの分野に関する。
【０００２】
本発明は特に、携帯用オブジェクトを制御する方法、およびそのような方法により制御される携帯用オブジェクトに関する。本発明は特に、携帯用マルチメディアオブジェクトの制御に関する。
【背景技術】
【０００３】
電子オブジェクトの外面に位置するボタン、レバー、およびホイールの操作に基づく制御方法が、従来技術において知られている。この操作は、当該電子オブジェクトにより実施される機能のアクティブ化、非アクティブ化、または修正を引き起こす。このタイプの制御では、電子オブジェクトの設計および人間工学を、オブジェクトの外面に組み込まれたボタンおよび／またはホイールの機能として適応する必要がある。
【０００４】
電子オブジェクトの感知可能表面の所定の領域との局所的な機械的接触をユーザが加えることに基づく電子オブジェクトの触覚制御のための方法もまた、従来技術において知られている。これらの感知可能表面は、通常は容量性である「触覚センサ」を含んでおり、「接触センサ」は、価格が高く、主に指との接触でのみ作動する。オブジェクトの外面に位置するこれらの触覚表面は、とりわけ衝撃、液体、および湿度を感知可能であるが、それにも関わらずそれらに晒されている。
【０００５】
上記制御方法の主な欠点の一つは、これらの制御の操作が、細かい運動技能が充分に発達していない子供、視覚障害を持つ人、または運動疾患もしくは神経変性疾患を持つ人、高齢者、もしくは障害者には適さないという事実に関連している。
【０００６】
ユーザが発する音声コマンドに応じて電子オブジェクトにより実施される機能のアクティブ化、非アクティブ化、または修正を引き起こすことを目的とした音声制御方法が、より最近の従来技術において知られている。ただし、そのような方法は、特に家庭での応用、または音楽もしくは背景騒音が存在するなど、騒がしい環境での使用には適さない。そして、そのような制御のアクティブ化は、充分な語学力を持たない子供、または難聴者には利用できない。
【０００７】
例えばスマートフォンなどの遠隔オブジェクトのインターフェースを用いて実施されるスマートオブジェクトを制御する方法もまた、従来技術において知られている。このタイプの方法は、スマートオブジェクト専用のアプリケーションをスマートフォンにインストールする必要があるという欠点と、スマートフォンに費やす時間および注意が増加するという欠点とを有する。
【０００８】
既存の制御方法および装置に共通の欠点は、制御される電子オブジェクトが、オブジェクトの外面に挿入された領域および／またはボタンを備えることが必須であるという事実にある。
【０００９】
本発明の目的は、
−上記制御方法の欠点を少なくとも部分的に克服する、および／または
−ユーザの細かい運動技能より、全体的な運動技能をより多く利用する、および／または
−携帯用オブジェクトの制御を簡素化し、より直感的にする、および／または
−携帯用オブジェクトの外面にあるコントロールボタンの使用を必要としない、および／または
−既存の方法とは異なり、例えば非常に幼い子供、高齢者および障害者、または運動疾患もしくは神経変性疾患を持つ人など、如何なる人にも、そのような方法により制御される携帯用オブジェクトを使用できるようにする
制御方法、およびそのような方法により制御される携帯用オブジェクトを提案することである。
【発明の開示】
【００１０】
この目的のために、本発明の第１態様によれば、
−オブジェクトを通過する第１回転軸に対するオブジェクトの時計回りまたは反時計回りの回転に応じて、オブジェクトが発信する信号の強度を上げる工程と、
−第１回転軸に対するオブジェクトの反時計回りまたは時計回りの回転に応じて、オブジェクトが発信する信号の強度を下げる工程と
を備える、携帯用オブジェクトを制御する方法が提案される。
【００１１】
「オブジェクトを通過する回転軸」という用語は、少なくとも一部がオブジェクトに組み込まれている回転軸、またはオブジェクトの少なくとも一部を通過する回転軸を意味すると理解される。
【００１２】
信号は、立方体が発信する信号群から構成され得る。
【００１３】
携帯用オブジェクトは、一つ以上の面を備え得る。
【００１４】
携帯用オブジェクトは、ファセット携帯用マルチメディアオブジェクトであり得る。
【００１５】
携帯用オブジェクトは多面体であり得る。
【００１６】
携帯用オブジェクトは立方体であり得る。
【００１７】
オブジェクトが発信する信号の強度の増加または減少の程度は、オブジェクトの回転ごとに、第１回転軸に対して５°の角度でインクリメントすることができる。
【００１８】
オブジェクトが発信する信号は、
−音声信号、
−光信号、
−振動信号、
−嗅覚信号、または
−無線信号
であり得る。
【００１９】
「振動信号」とは、振動デバイス、および／または振動を発するように構成されたデバイスが発信する信号を意味する。
【００２０】
本発明に係る方法において、オブジェクトの待機状態から起動状態への移行は、
−オブジェクトを通過する回転軸に対する第１最小傾斜角度以上の角度によるオブジェクトの回転、および／または
−オブジェクトの揺動
に応じて開始することができる。
【００２１】
オブジェクトを通過する回転軸は、オブジェクトの少なくとも一つの面に対して垂直であり得る。
【００２２】
第１最小傾斜角度は３６０°以上であり得る。
【００２３】
第１最小傾斜角度は４５０°以上であり得る。
【００２４】
好ましくは、オブジェクトを通過する回転軸に対するオブジェクトの回転が第２最小継続時間より長い時間に亘って停止すると、オブジェクトの待機状態から起動状態への移行を開始する際に考慮されるオブジェクトの回転角度がリセットされる。
【００２５】
第２最小継続時間は２秒以上であり得る。
【００２６】
オブジェクトの待機状態から起動状態への移行を開始する、オブジェクトを通過する回転軸に対するオブジェクトの回転方向は、時計回りまたは反時計回りであり得る。
【００２７】
「オブジェクトの揺動」とは、オブジェクトの揺れを意味する。
【００２８】
「オブジェクトの揺動」とは、前後運動におけるオブジェクトの揺れを意味し得る。
【００２９】
揺動は、垂直方向または水平方向の動きで実行することができる。
【００３０】
オブジェクトの揺動の軌跡は、並進成分および回転成分を含み得る。
【００３１】
オブジェクトの揺動の軌跡の回転成分は、オブジェクトと共通の断面を持たない回転軸に対するオブジェクトの回転運動に関連付けられている。
【００３２】
本発明に係る方法において、オブジェクトの起動状態から待機状態への移行は、オブジェクトを通過する第２回転軸に対する第２最小傾斜角度以上の角度によるオブジェクトの回転に応じて開始することができる。
【００３３】
第２最小傾斜角度は３６０°以上であり得る。
【００３４】
第２最小傾斜角度は４５０°以上であり得る。
【００３５】
好ましくは、オブジェクトを通過する回転軸に対するオブジェクトの回転が、第２最小継続時間より長い時間に亘って停止すると、オブジェクトの起動状態から待機状態への移行を開始する際に考慮されるオブジェクトの回転角度がリセットされる。
【００３６】
第２最小継続時間は２秒以上であり得る。
【００３７】
オブジェクトの待機状態から起動状態への移行を開始する、オブジェクトを通過する回転軸に対するオブジェクトの回転方向は、時計回りまたは反時計回りであり得る。
【００３８】
本発明に係る方法において、オブジェクトによるメディアコンテンツの項目の読取りは、オブジェクトの揺動に応じて開始することができ、読み取られたメディアコンテンツの項目は、オブジェクトの上向きである面に関連付けられている。
【００３９】
メディアコンテンツの項目は、任意のタイプのデジタルファイルであり得る。
【００４０】
メディアコンテンツの項目は無線周波数であり得る。
【００４１】
メディアコンテンツの項目は、とりわけオーディオトラックおよび／またはビデオトラックであり得る。
【００４２】
読み取られたメディアコンテンツの項目は、オブジェクトの揺動が開始されたときに上向きである面に関連付けられている。
【００４３】
オブジェクトの揺動中に上向きである面は、揺動の間中、上向きに保持される。
【００４４】
メディアコンテンツの項目は、コンテンツの項目群を含み得る。この場合、読取りが開始された後、メディアコンテンツの項目が連続的または不定期に読み取られる。
【００４５】
コンテンツの複数の項目を同時に読み取ることができる。
【００４６】
本発明に係る方法において、読み取られているメディアコンテンツの項目は、特定の軌跡に従ったオブジェクトの変位に応じて、専用フォルダにおいてインデックス付与することができる。
【００４７】
特定の軌跡は、空間における２つ以上の方向に沿ったオブジェクトの変位に相当し、これらの方向は明らかに互いに異なる。
【００４８】
好ましくは、軌跡は一つの平面に含まれる。
【００４９】
特定の軌跡は例えば幾何学形状であり得る。
【００５０】
特定の軌跡は例えばハート型の形状であり得る。
【００５１】
専用フォルダに保存されているメディアコンテンツの項目は、オブジェクトのいずれかの面に関連付けることができる。
【００５２】
本方法において、オブジェクトを通過する第３回転軸に対する第３最小傾斜角度より大きい角度によるオブジェクトの回転に応じて、メディアコンテンツの新しい項目を読み取ることができ、この回転に続いて、第１最大継続時間以下の時間、オブジェクトがその初期位置に戻ることにより、メディアコンテンツの新しい項目は、メディアコンテンツの項目の一覧内で読み取られているメディアコンテンツの項目の後に続く。メディアコンテンツの項目の前記一覧は、オブジェクトがその初期位置にあるときに、オブジェクトの上向きである面に関連付けられている。
【００５３】
オブジェクトを通過する第３回転軸に対するオブジェクトの回転が時計回り方向に実行されると、メディアコンテンツの新しい項目は、メディアコンテンツの項目の一覧内で読み取られているメディアコンテンツの項目の後に続く。オブジェクトを通過する第３回転軸に対するオブジェクトの回転が反時計回りに実行されると、メディアコンテンツの新しい項目は、メディアコンテンツの項目の一覧内で読み取られているメディアコンテンツの項目に先行する。
【００５４】
第３最小傾斜角度は１０°より大きくなり得る。
【００５５】
第１最大継続時間は２秒以下であり得る。
【００５６】
一覧におけるメディアコンテンツの項目を順に一覧にすることができる。
【００５７】
メディアコンテンツの項目の一覧は、
−デジタルファイル群、
−オーディオトラック群および／もしくはビデオトラック群、または
−無線周波数群
を含み得る。
【００５８】
メディアコンテンツの項目の読取りは、コンテンツの項目の一覧に従って、または不定期に実施することができる。
【００５９】
本発明に係る方法は、読み取られているコンテンツの項目の終わりまで早送りする工程と、前記オブジェクトを通過する第４回転軸に対する第４最小傾斜角度より大きい角度によるオブジェクトの回転に応じて、読み取られているコンテンツの項目の始めに巻き戻す工程とを含むことができ、早送りおよび巻き戻しは、前記角度が第１最小継続時間より長い継続時間に亘って保持されると開始されて前記角度が保持されている間は継続され、巻き戻しの回転方向は早送りの回転方向とは逆である。
【００６０】
第４最小傾斜角度は１０°より大きくなり得る。
【００６１】
第１最小継続時間は２秒より長くなり得る。
【００６２】
本発明に係る方法において、オブジェクトの上向きである面は水平面に平行であり、第１回転軸は、上向きである前記面に対して垂直であり、第２回転軸は第１回転軸と同一であり、第４回転軸は、第３回転軸と同一であり、第１回転軸に対して垂直であり、オブジェクトの上向きである面に対して所定の方向に向けられ得る。
【００６３】
第３回転軸および／または第４回転軸は、オブジェクトの上向きである面に対して向きをつけられている。
【００６４】
本方法において、コンテンツの項目の読取りを、第２最大継続時間より短い時間で区切られた、オブジェクトの二回の連続する変位に応じて一時停止できる。各変位中に移動する距離は第１最大距離より短く、連続する変位のそれぞれの継続時間は第３最大継続時間より短い。
【００６５】
第２最大継続時間は２秒未満であり得る。
【００６６】
第３最大継続時間は１秒未満であり得る。
【００６７】
第１最大距離は２センチメートル未満であり得る。
【００６８】
好ましくは、第１最大距離は１センチメートル未満である。
【００６９】
より好ましくは、第１最大距離は０．５センチメートル未満である。
【００７０】
オブジェクトの連続的な変位のそれぞれは、オブジェクトに息を吹きかけることにより引き起こされ得る。
【００７１】
オブジェクトの連続的な変位のそれぞれは、オブジェクトをタップすることにより引き起こされ得る。
【００７２】
本発明に係る方法において、第４の最大継続時間より短い時間で区切られた、オブジェクトの三回の連続する変位に応じて、読み取られているトラックを再び始めから読み取ることができる。各変位中に移動する距離は第２最大距離より短く、連続する変位のそれぞれの継続時間は第３最大継続時間より短い。
【００７３】
第４最大継続時間は２秒未満であり得る。
【００７４】
第４最大継続時間は第２最大継続時間と等しくなり得る。
【００７５】
第２最大距離は、２センチメートル未満、好ましくは１センチメートル未満、より好ましくは０．５センチメートル未満であり得る。
【００７６】
第２最大距離は第１最大距離と等しくなり得る。
【００７７】
本発明に係る方法において、読み取られているトラックが第５最大継続時間より短い時間に亘って読み取られた場合、セッション中に読み取られたファイルを含むアーカイブからのトラックの読取りは、オブジェクトの三回の連続する変位に応じて開始することができ、これらの連続する変位は、第２最大継続時間より短い時間で区切られている。各変位中に移動する距離は第２最大継続時間より短く、連続する変位のそれぞれの継続時間は第３最大継続時間より短い。
【００７８】
第５最大継続時間は３秒未満であり得る。
【００７９】
本発明の第２態様によれば、
一つ以上の面を含む携帯用オブジェクトにおいて、
−エネルギー貯蔵ユニットと、
−加速度計およびジャイロメータを含む、オブジェクトの変位を検出するためのモジュールと、
−ラウドスピーカ、および／またはスクリーン、および／または振動源と、
−・検出モジュールによる、オブジェクトを通過する第１回転軸に対するオブジェクトの時計回りまたは反時計回りの回転の検出に応じて、オブジェクトが発信する信号の強度を上げ、
・検出モジュールによる、第１回転軸に対するオブジェクトの反時計回りまたは時計回りの回転の検出に応じて、オブジェクトが発信する信号の強度を下げる
ように構成および／またはプログラムされた処理部と
を備えるオブジェクトが提案される。
【００８０】
加速度計およびジャイロメータは単一のセンサを形成できる。
【００８１】
検出モジュールはコンパスを含み得る。
【００８２】
オブジェクトは、複数の異なる信号を同時または連続的に発信するように構成することができる。
【００８３】
加速度計、コンパス、およびジャイロメータは単一のセンサを形成することができる。
【００８４】
スクリーンはオブジェクトの一つの面に構成できる。
【００８５】
オブジェクトは、例えばランプであり得る。
【００８６】
オブジェクトは、例えばスピーカであり得る。
【００８７】
オブジェクトは、例えば遠隔制御装置であり得る。
【００８８】
処理部は、本発明の第１態様に係る方法を実施するように構成および／またはプログラムすることができる。
【００８９】
本発明に係るオブジェクトにおいて、処理部は、検出モジュールによるオブジェクトの揺動の検出に応じてメディアコンテンツの項目を読み取るように構成および／またはプログラムすることができ、読み取られたメディアコンテンツの項目は、オブジェクトの上向きである面に関連付けられている。
【００９０】
メディアコンテンツの項目は、任意のタイプのデジタルファイルであり得る。
【００９１】
メディアコンテンツの項目は無線周波数であり得る。
【００９２】
メディアコンテンツの項目は、とりわけオーディオトラックおよび／またはビデオトラックであり得る。
【００９３】
読み取られたメディアコンテンツの項目は、オブジェクトの揺動が開始されたときに上向きである面に関連付けられている。
【００９４】
オブジェクトの揺動中に上向きである面は、揺動の間中、上向きに保持される。
【００９５】
メディアコンテンツは、コンテンツの項目群を含み得る。この場合、読取りが開始された後、メディアコンテンツの項目が連続的または不定期に読み取られる。
【００９６】
本発明に係るオブジェクトにおいて、オブジェクトの上向きである面は水平面に平行であり得る。また、第１回転軸は、上向きである前記面に対して垂直であり得る。
【００９７】
本発明に係るオブジェクトにおいて、携帯用オブジェクトはファセット携帯用マルチメディアオブジェクトであり得る。
【００９８】
本発明に係るオブジェクトにおいて、オブジェクトは多面体であり得る。
【００９９】
本発明に係るオブジェクトにおいて、オブジェクトは立方体であり得る。
【０１００】
本発明に係るオブジェクトは、
−外部装置の遠隔エミッタに接続されるように構成されたトランシーバと、
−電子メモリと
を備え、処理部は、遠隔エミッタおよび／または電子メモリが発信するデータからメディアコンテンツの項目を読み取るように構成および／またはプログラムされている。
【図面の簡単な説明】
【０１０１】
本発明の他の利点および特徴は、決して限定的ではない実施例および実施形態の詳細な説明と、以下の添付図面とを読むことで明らかになるであろう。
−図１は、本発明に係る携帯用スピーカの概略側面図である。
−図２は、本発明に係る携帯用立方体の概略側面図である。
【発明を実施するための形態】
【０１０２】
本明細書に記載する実施形態は決して限定的ではなく、記載された特徴の選択が、技術的利点を付与するか、または従来技術から本発明を差別化するのに充分である場合、本発明の変形例は、記載された他の特徴から分離して、この特徴の選択のみを特に含む（この選択がこれら他の特徴を含むフレーズ内で分離されている場合であっても）と考えることができる。この選択は、少なくとも一つの好ましくは機能的な特徴を備え、構造的な詳細を持たないか、または、構造的詳細の一部がそれだけで技術的利点を付与するか、もしくは従来技術から本発明を差別化するのに充分である場合には、この一部のみを持つ。
【０１０３】
図１を参照して、第１の実施形態において、下面２を備える携帯用スピーカ１を説明する。スピーカは、エネルギー蓄積ユニットと、スピーカ１の変位を検出するためのモジュールと、ラウドスピーカと、処理部とを備える。処理部は、検出モジュールによる、スピーカ１を通過する第１回転軸４に対するスピーカ１の時計回りの回転５の検出に応じて、スピーカ１が発する音量を上げるようにプログラムされている。処理部は、検出モジュールによる、立方体１を通過し垂直方向に向けられている第１回転軸４に対する立方体１の反時計回りの回転３の検出に応じて、立方体１が発信する信号の強度を下げるようにプログラムされている。
【０１０４】
図２を参照して、第１の実施形態において、六つの面２を備える携帯用オブジェクト１を制御する方法を説明する。非限定的な例として、携帯用オブジェクトは、下面２を備え、物語を朗読し、音楽および歌を再生する携帯用立方体１である。本方法は、立方体１を通過する第１回転軸４に対する立方体１の時計回りの回転５に応じて、立方体１が発信する信号の強度を上げる工程を含む。非限定的な例として、立方体１が発信する信号の強度は、立方体１を通過し垂直方向に向けられている第１回転軸４に対する立方体１の時計回りの回転５に応じて、立方体１が発信する音声信号の音量である。本方法はまた、立方体１を通過し垂直方向に向けられている第１回転軸４に対する立方体１の反時計回りの回転３に応じて、立方体１が発する音量を下げる工程を含む。立方体１が角度５°だけ回転するごとに、発せられる音量が１レベルずつ上がる。立方体１は九つの音量レベルを備える。
【０１０５】
朗読、音楽、および歌といった形態の音声信号が、立方体１により発信される。立方体１はまた、特にＷｉ−ＦｉまたはＢｌｕｅｔｏｏｔｈタイプのネットワークプロトコルに従って、極超短波（ＵＨＦ）および超高周波（ＳＨＦ）領域の無線信号を発信する。立方体１はまた、特にＷｉ−ＦｉまたはＢｌｕｅｔｏｏｔｈタイプのネットワークプロトコルに従って、極超短波（ＵＨＦ）および超高周波（ＳＨＦ）領域の遠隔エミッタから無線信号を受信する。
【０１０６】
立方体１が待機状態にあるとき、立方体１を通過し立方体１の向かい合う２つの面に対して垂直である回転軸に対する４５０°以上の角度による立方体１の回転に応じて、立方体１の待機状態から起動状態への移行が開始される。この場合、立方体１の回転が２秒以上の時間に亘って停止すると、立方体１の待機状態から起動状態への移行を開始する際に考慮される立方体１の回転角度がリセットされる。すなわち、立方体１の回転が２秒以上の時間に亘って停止すると、回転が停止する前に生み出された立方体１の回転角度は、立方体１の待機状態から起動状態への移行を開始する角度を測定する際には考慮されない。立方体１の回転方向は時計回り５または反時計回り３であり得る。
【０１０７】
立方体１が待機状態にあるとき、立方体１の待機状態から起動状態への移行もまた、立方体１の少なくとも三回の前後運動を含む前後運動における立方体１の揺動に応じて開始される。揺動は垂直方向または水平方向に実行される。前後運動中の立方体１の加速度値は、重力加速度（Ｇ）の２．８倍以上であるべきである。揺動運動の振幅に関する条件は適用されない。立方体１に三回の前後運動が与えられる前に、立方体１に施された戻り動作が２秒以上の継続時間に亘って停止した場合、立方体１の待機状態から起動状態への移行を開始する際に考慮される前後運動の回数がリセットされる。すなわち、立方体１に三回の前後運動が施される前に、立方体１に施された前後運動が２秒以上の継続時間に亘って停止すると、回転が停止する前に実行された前後運動の回数は、立方体１の待機状態から起動状態への移行を開始する前後運動の回数を計数する際に考慮されない。
【０１０８】
立方体１の起動状態から待機状態への移行は、第１回転軸４に対する４５０°以上の角度による立方体１の回転に応じて開始される。立方体１が作動状態にあるときに、第１回転軸４に対する立方体１の回転が２秒より長い時間に亘って停止した場合、立方体１の起動状態から待機状態への移行を開始する際に考慮される立方体１の回転角度はリセットされる。すなわち、第１回転軸４に対する立方体１の回転が２秒より長い時間に亘って停止すると、回転が停止する前に生み出された立方体１の回転角度は、立方体１の起動状態から待機状態への移行を開始する角度を測定する際に考慮されない。立方体１の回転方向は時計回り５または反時計回り３であり得る。
【０１０９】
立方体１が５分より長い継続時間に亘って移動されなかった場合もまた、立方体１の起動状態から待機状態への移行が開始される。
【０１１０】
立方体１によるメディアコンテンツの項目の読取りは立方体１の揺動に応じて開始され、読み取られたメディアコンテンツの項目は、立方体１の揺動中に上向きである面７に関連付けられている。メディアコンテンツの項目は、任意のタイプのデジタルファイルであり得る。メディアコンテンツの項目は、無線周波数、またはオーディオトラックおよび／もしくはビデオトラックであり得る。
【０１１１】
非限定的な例として、メディアコンテンツの項目は、オーディオファイル、特に子供のための物語であり、立方体１の揺動中に上向きである面７に関連付けられている一覧からの立方体１によるオーディオファイルの読取りは、立方体１の揺動に応じて開始され、読み取られたオーディオファイルは、立方体１の揺動中に上向きである面７に関連付けられている。立方体１の揺動中に上向きである面７は、揺動の間中、上向きに保持される。読取りが開始されると、立方体１の揺動中に上向きである面７に関連付けられているオーディオファイル群から構成されるオーディオファイルの一覧が順不同に生成される。当該一覧からの最初のトラックの読取りは、立方体１の揺動に応じて開始され、一覧からの他のトラックの読取りが連続的に行われる。
【０１１２】
立方体１は、メディアコンテンツの複数の項目を同時に読み取るように構成することができる。非限定的な例として、立方体１は、デジタルファイル、無線周波数、またはオーディオビジュアルトラックなどの複数のタイプのメディアコンテンツを読み取るように構成することができる。この場合、立方体１による特定のタイプのメディアコンテンツの読取りは、例えば特定の方向における立方体１の特定の揺動に応じて開始される。この場合、一種類のメディアコンテンツが立方体１の特定の一つの面に関連付けられる。
【０１１３】
読み取られているメディアコンテンツの項目は、特定の軌跡に従った立方体１の変位に応じて、専用フォルダにおいてインデックス付与される。非限定的な例として、メディアコンテンツの項目は、例えばオーディオ読取りトラックまたはオーディオビジュアル読取りトラックであり得る。専用フォルダは、立方体１の一つの面に関連付けられている。専用フォルダに格納されているオーディオファイルが関連付けられている面が上向きであるときの立方体１の揺動により、専用フォルダに格納されているオーディオファイルの一覧からの最初のトラックの読取りが開始される。あるいは、立方体１の揺動は、順不同に生成された専用フォルダに格納されているオーディオファイルの一覧からの最初のトラックの読取りを開始することができる。特定の軌跡は、空間における２つの異なる方向に沿った立方体１の変位に相当する。非限定的な例として、特定の軌跡はハート型の形状である。
【０１１４】
メディアコンテンツの項目が読み取られているとき、立方体１を通過し、立方体１の上向きである面に対して所定の方向８に従って水平方向に向けられている第２回転軸６に対する１０°より大きい角度による立方体１の回転に応じて、メディアコンテンツの新しい項目が読み取られ、前記回転の後に、２秒以下の時間、立方体１の初期位置への戻りが生じる。メディアコンテンツの新しい項目は、読み取られているメディアコンテンツの項目の一覧内で読み取られているメディアコンテンツの項目の後に続く。本実施形態によれば、非限定的な例として、第２回転軸６に対する３０°より大きい角度による時計回りの回転９は、前記角度が２秒未満の継続時間に亘って保持されると、読み取られているメディアコンテンツの項目の一覧内で読み取られているメディアコンテンツの項目の後に続くメディアコンテンツの新しい項目の読取りを引き起こす。第２回転軸６に対する反時計回りの方向１０における３０°より大きい角度による回転は、前記角度が２秒未満の継続時間に亘って保持されると、読み取られているメディアコンテンツの一覧内で読み取られているメディアコンテンツの項目に先行するメディアコンテンツの新しい項目の読取りを引き起こす。
【０１１５】
立方体の各面は所定の方向８、１１、１２、１３、１４、および１５といった表示を備えており、面が上向きであり、この面に関連付けられたメディア項目が読み取られているとき、第２回転軸６はこの方向に向けられている。
【０１１６】
メディアコンテンツの項目が読み取られているとき、立方体１を通過し、立方体１の上向きである面に対して所定の方向８において水平方向に向けられている第２回転軸６に対する１０°より大きい角度による立方体１の回転に応じて、読み取られているコンテンツの項目の終わりへの早送りが開始され、早送りは、角度が２秒より長い継続時間に亘って保持されると開始されて角度が保持されている間は継続される。メディアコンテンツの項目が読み取られているとき、立方体１を通過し、立方体１の上向きである面に対して所定の方向８において水平方向に向けられている第２回転軸６に対する１０°より大きい角度による立方体１の回転に応じて、読み取られているコンテンツの項目の始めへの巻き戻しが開始され、巻き戻しは、角度が２秒より長い継続時間に亘って保持されると開始されて角度が保持されている間は継続される。本実施形態によれば、非限定的な例として、巻き戻しは反時計回りの回転方向１０に関連付けられ、早送りは時計回りの回転方向９に関連付けられている。
【０１１７】
コンテンツの読取りは、ユーザが立方体１に連続して二回タップすると一次停止され、各タップは、２秒未満の時間で区切られている。各タップは、２センチメートル未満の距離だけの立方体１の変位に相当し、各タップの継続時間は１秒未満である。
【０１１８】
読み取られているトラックは、２秒未満の時間で区切られた、立方体１に対する三回の連続するタップに応じて、始めから再度読み取ることができる。各タップ中に移動する距離は２センチメートル未満であり、各タップの継続時間は１秒未満である。
【０１１９】
読み取られているトラックが３秒未満の時間に亘って読み取られた場合、セッション中に読み取られたファイルのアーカイブからのトラックの読取りは、立方体１に対する三回の連続するタップに応じて開始され、これらの連続するタップは、２秒未満の時間で区切られている。各変位中に移動する距離は２センチメートル未満であり、各タップの継続時間は１秒未満である。
【０１２０】
図２を参照し、第２の実施形態において、一つ以上の面を備える携帯用オブジェクトを説明する。オブジェクトは、例えばランプ、スピーカ、または遠隔制御装置であり得る。非限定的な例として、携帯用オブジェクトは、エネルギー貯蔵ユニットと、立方体１の変位を検出するためのモジュールであって、９軸加速度計／ジャイロメータ／コンパス（商業ブランドＩｎｖｅｎＳｅｎｓｅにより商品名ＭＰＵ−９１５０で販売されている）、３ワット以上のラウドスピーカ、オーディオアンプ（ブランドＰｉｍｏｒｏｎｉにより商品名スピーカｐＨＡＴで販売されている）、および処理部（ブランドＲａｓｐｂｅｒｒｙ  Ｐｉにより商品名ＲａｓｐｂｅｒｒｙＰｉ  Ｎａｎｏ  Ｚｅｒｏで販売されている）を含むモジュールとを備える立方体１である。処理部は、検出モジュールによる、立方体１を通過し垂直方向に向けられている第１回転軸４に対する立方体１の時計回りの回転５の検出に応じて、立方体１が発信する信号の強度を上げるようにプログラムされている。立方体１は、一つ以上のタイプの信号を同時または連続的に発信するように構成することができる。非限定的な例として、立方体１が発信する信号の強度は、音声信号の音量である。立方体１が発する音量は、立方体１を通過し垂直方向に向けられている第１回転軸４に対する立方体１の時計回りの回転５に応じて上げられる。処理部は、検出モジュールによる、立方体１を通過し垂直方向に向けられている第１回転軸４に対する立方体１の反時計回りの回転３の検出に応じて、立方体１が発信する信号の強度を下げるようにプログラムされている。
【０１２１】
立方体は、内部にコンポーネントが配置されている硬質プラスチックシェルを備える。立方体１の各面には、パターンを備える、例えばゴムまたはシリコーンから作られた軟質プラスチック要素が取り外し可能に配置されている。本パターンは例えば、とりわけ所定の方向８、１１、１２、１３、１４、および１５をユーザに表示することを可能にするピクトグラムであり、面が上向きであり、この面に関連付けられたメディア項目が読み取られているとき、第２回転軸６はこの方向に向けられている。立方体１の縁部は略７センチメートルである。
【０１２２】
処理部は、検出モジュールによる立方体１の揺動の検出に応じてメディアコンテンツの項目を読み取るようにプログラムされ、読み取られたメディアコンテンツの項目は、立方体１の上向きである面に関連付けられている。立方体１の上向きである面は水平面に平行であり、第１回転軸は、上向きである前記面に対して垂直である。
【０１２３】
本発明に係る立方体１は、外部装置の遠隔エミッタに接続されるように構成されたトランシーバを備える。非限定的な例として、トランシーバは、極超短波（ＵＨＦ）および超高周波（ＳＨＦ）領域で発信および受信を行い、特に、Ｗｉ−ＦｉまたはＢｌｕｅｔｏｏｔｈタイプのネットワークプロトコルに従って配置される。立方体１は電子メモリを備え、処理部は、遠隔エミッタおよび／または電子メモリが発信するデータの項目からメディアコンテンツの項目を読み取るようにプログラムされている。
【０１２４】
もちろん、本発明は上述した例に限定されるものではなく、本発明の範囲から逸脱することなくこれらの例に多くの修正を加えることができる。
【０１２５】
このように、互いに組み合わせることができる上述の実施形態の変形例において、
−携帯用オブジェクト１が発信する信号は、光学信号、振動信号、嗅覚信号、または無線信号である、ならびに／または
−携帯用オブジェクト１が発信する信号は、携帯用オブジェクト１が発信する信号群を含む、ならびに／または
−携帯用オブジェクト１が単一の面のみを備える場合、オブジェクト１を通過する回転軸は、オブジェクト１のこの面に対して垂直である、ならびに／または
−立方体１の起動状態から待機状態への移行は、第１回転軸４に対する３６０°以上の角度による立方体１の回転に応じて開始される、ならびに／または
−特定の軌跡は、空間における三つ以上の方向に沿った立方体１の変位に相当する、ならびに／または
−特定の軌跡は一つの平面に含まれている、ならびに／または
−特定の軌跡は幾何学形状である、ならびに／または
−メディアコンテンツの項目の一覧は、デジタルファイル群、および／もしくはオーディオトラック群、および／もしくはビデオトラック群、および／もしくは無線周波数群を含み得る、ならびに／または
−読み取られたメディアコンテンツの項目は、立方体１の揺動が開始されたときに上向きである面７に関連付けられている、ならびに／または
−各タップは、１センチメートル未満の距離だけの立方体１の変位に相当する、ならびに／または
−各タップは、０．５センチメートル未満の距離だけの立方体１の変位に相当する、ならびに／または
−立方体１に対する三回の連続するタップに応じて読み取られた読取りトラックは、読み取られたファイルのアーカイブに追加された直近のトラックである、ならびに／または
−携帯用オブジェクト１は単一の面を含む、ならびに／または
−本発明に係る携帯用オブジェクト１は、ファセット携帯用マルチメディアオブジェクト１である、ならびに／または
−本発明に係る携帯用オブジェクト１は多面体である、ならびに／または
−オブジェクト１は、一つ以上のスクリーンおよび／もしくは振動源を備える、ならびに／または
−スクリーンはオブジェクトの面上に構成されている、ならびに／または
−立方体は複数のラウドスピーカを備える、ならびに／または
−ピクトグラムは浮彫り式である。
【０１２６】
そして、本発明の様々な特徴、形態、変形例、および実施形態は、それらが互いに非互換性または排他的でない限り、様々な組み合わせで互いに組み合わせることができる。
【図１】
2021502656.tif 000003
【図２】
2021502656.tif 000004
【国際調査報告】
2021502656.tif 000005
2021502656.tif 000006
2021502656.tif 000007
2021502656.tif 000008